(57)【要約】  【課題】  競売により買受けた物件の転売により得られた利益を一定のルールにより会員に分配する手段を提供することを目的とする。  【解決手段】  本発明は、会員組織中における会員の配置に応じた利益分配を定める利益分配ルール情報を保持する利益分配ルール情報保持部と、前記会員組織中における配置を示す情報を含む会員の属性情報である会員属性情報を保持する会員属性情報保持部と、競売にて落札した物件の転売により得られた利益を示す情報である利益情報を保持する利益情報保持部と、前記利益情報保持部で保持されている利益情報で示される利益を前記利益分配ルール情報保持部にて保持されている利益分配ルール情報に基づいて会員に分配するための計算を行う利益分配計算部とを有する競売利益分配システムを提供するものである。  【選択図】図１
2005122408.tif 000002
【特許請求の範囲】
【請求項１】
競売にて落札した物件の転売により得られた利益を会員組織内で分配するための競売利益分配システムであって、
会員組織中における会員の配置に応じた利益分配を定める利益分配ルール情報を保持する利益分配ルール情報保持部と、
前記会員組織中における配置を示す情報を含む会員の属性情報である会員属性情報を保持する会員属性情報保持部と、
競売にて落札した物件の転売により得られた利益を示す情報である利益情報を保持する利益情報保持部と、
前記利益情報保持部で保持されている利益情報で示される利益を前記利益分配ルール情報保持部にて保持されている利益分配ルール情報に基づいて会員に分配するための計算を行う利益分配計算部とを有する競売利益分配システム。
【請求項２】
競売への会員の参加又は不参加を示す情報を含む会員参加情報を保持する会員参加情報保持部を有し、
前記利益分配計算部は、前記会員参加情報保持部にて保持されている会員参加情報に基づいて会員に分配する利益を計算する参加不参加計算手段を有する請求項１に記載の競売利益分配システム。
【請求項３】
会員が競売をするための競売端末装置であって、
入札出資額を入力するための入札出資額入力部と、
前記入札出資額入力部で入力された入札出資額を含む会員参加情報を請求項２に記載の競売利益分配システムに送信するための会員参加情報送信部とを有する会員競売端末装置。
【請求項４】
前記会員参加情報保持部から会員参加情報を取得する会員参加情報取得部と、
前記会員参加情報取得部で取得した会員参加情報に基づいて前記会員属性情報保持部に保持された会員属性情報を変更する会員属性情報変更部とをさらに有する請求項２に記載の競売利益分配システム。
【請求項５】
前記会員属性情報には、会員である資格を識別するための会員資格識別情報とその資格保持者を識別する情報とが関連付けて含まれており、
前記会員属性情報変更部は、前記会員資格識別情報と関連付けられている資格保持者を変更する資格保持者変更手段を有すると共に、
資格保持者が自身が有する会員資格識別情報の入札による所定条件を含む譲渡の意思表示情報を入力する入力部と、
前記入力部に入力された意思表示情報をインターネットを介して閲覧させる閲覧部と、
前記会員資格識別情報に対するインターネットを介した入札を受けるための入札部と、
前記入札部での入札結果に基づいて落札を判断する落札判断部とをさらに有し、
前記資格保持者変更手段は、前記落札判断部での判断結果に基づいて前記変更を行う請求項４に記載の競売利益分配システム。
【発明の詳細な説明】
【技術分野】
【０００１】
本発明は競売利益を会員に分配するための計算を行う競売利益分配システムに関するものである。
【背景技術】
【０００２】
利益を各会員に分配する場合における会員毎の分配額を計算するための装置としては、例えば、ネットワークビジネスを運用する企業が得た利益を会員毎の資格権利データの比率に応じて分配するための計算を行う装置が知られている（特許文献１参照）。
【特許文献１】特開２００２−２７９２７８号公報
【発明の開示】
【発明が解決しようとする課題】
【０００３】
一方、競売、特に買受け価格が一般に高額になることが多い不動産の競売においては、競売物件の買受けのための資金を会員から集め、これを元手として買い受けた物件の売却により得られた利益の全部又は一部を一定のルールにより会員に分配する仕組みが、資金調達の容易化を図り、多額の資金を持たない者でもかかる仕組みに参加することにより利益の分配を受けられるようにするうえで有益である。しかし、かかる仕組みを実行するうえで必要な各会員に対する利益の分配額を計算する装置は知られていない。そこで、競売における買受けのための資金調達の容易化を図るためには、かかる装置を提供する必要がある。
【０００４】
また、会員の参加意欲を高揚して資金調達を一層容易にするためには、会員の参加状況を反映して会員の会員組織内の配置や位置づけを競売ごとに変更することにより、各会員に対する利益の分配額を計算するための分配基準を変更することが有効であると考えられる。かかる場合、会員の会員組織内における配置や位置づけの変更に応じて分配基準を変更するとともに、変更された基準により各会員に対する利益の分配額を計算する装置が必要となる。
【課題を解決するための手段】
【０００５】
以上の課題を解決するために、請求項１に記載の本発明は、競売にて落札した物件の転売により得られた利益を会員組織内で分配するための競売利益分配システムであって、会員組織中における会員の配置に応じた利益分配を定める利益分配ルール情報を保持する利益分配ルール情報保持部と、前記会員組織中における配置を示す情報を含む会員の属性情報である会員属性情報を保持する会員属性情報保持部と、競売にて落札した物件の転売により得られた利益を示す情報である利益情報を保持する利益情報保持部と、前記利益情報保持部で保持されている利益情報で示される利益を前記利益分配ルール情報保持部にて保持されている利益分配ルール情報に基づいて会員に分配するための計算を行う利益分配計算部とを有する競売利益分配システムを提供するものである。
【０００６】
また、請求項２に記載の本発明は、競売への会員の参加又は不参加を示す情報である会員参加情報を保持する会員参加情報保持部を有し、前記利益分配計算部は、前記会員参加情報保持部にて保持されている会員参加情報に基づいて会員に分配する利益を計算する参加不参加計算手段を有する請求項１に記載の競売利益分配システムを提供するものである。
【０００７】
また、請求項３に記載の本発明は、会員が競売をするための競売端末装置であって、入札出資額を入力するための入札出資額入力部と、前記入札出資額入力部で入力された入札出資額を含む会員参加情報を請求項２に記載の競売利益分配システムに送信するための会員参加情報送信部とを有する会員競売端末装置を提供するものである。
【０００８】
また、請求項４に記載の本発明は、前記会員参加情報保持部から会員参加情報を取得する会員参加情報取得部と、前記会員参加情報取得部で取得した会員参加情報に基づいて前記会員属性情報保持部に保持された会員属性情報を変更する会員属性情報変更部とをさらに有する請求項２に記載の競売利益分配システムを提供するものである。
【０００９】
さらに、請求項５に記載の本発明は、前記会員属性情報には、会員である資格を識別するための会員資格識別情報とその資格保持者を識別する情報とが関連付けて含まれており、
前記会員属性情報変更部は、前記会員資格識別情報と関連付けられている資格保持者を変更する資格保持者変更手段を有すると共に、資格保持者が自身が有する会員資格識別情報の入札による所定条件を含む譲渡の意思表示情報を入力する入力部と、前記入力部に入力された意思表示情報をインターネットを介して閲覧させる閲覧部と、前記会員資格識別情報に対するインターネットを介した入札を受けるための入札部と、前記入札部での入札結果に基づいて落札を判断する落札判断部とをさらに有し、前記資格保持者変更手段は、前記落札判断部での判断結果に基づいて前記変更を行う請求項４に記載の競売利益分配システムを提供するものである。
【発明の効果】
【００１０】
本発明に係る競売利益分配システムにより、競売物件の買受けのための資金を会員から集め、これを元手として買い受けた物件の売却により得られた利益の全部又は一部を一定のルールにより会員に分配する仕組みを実効あるものとすることが可能となり、もって資金調達の容易化を図り、多額の資金を持たない者でもかかる仕組みに参加することにより利益の分配を受けられるようにすることができる。
【００１１】
また、本発明に係る競売利益分配システムにより、会員の会員組織内における配置や位置づけの変更に応じて分配基準を変更するとともに、変更された基準により各会員に対する利益の分配額を計算してこれを分配する仕組みを実効あるものとすることが可能となり、会員の参加意欲を高揚して資金調達を一層容易にすることができる。
【発明を実施するための最良の形態】
【００１２】
以下に、本発明の実施例を説明する。実施例と、特許請求の範囲の請求項との関係は以下のようなものである。
【００１３】
実施例１：主に請求項１などに関する実施形態である実施形態１について説明する。
【００１４】
実施例２：主に請求項２などに関する実施形態である実施形態２について説明する。
【００１５】
実施例３：主に請求項３などに関する実施形態である実施形態３について説明する。
【００１６】
実施例４：主に請求項４などに関する実施形態である実施形態４について説明する。
【００１７】
実施例５：主に請求項５などに関する実施形態である実施形態５について説明する。
【００１８】
なお、本発明はこれら実施例に何ら限定されるものではなく、その要旨を逸脱しない範囲において、種々なる態様で実施しうる。
【実施例１】
【００１９】
<概要>
【００２０】
図１は、本実施形態の一例の概念を示すものである。以下、同図に示す例に即して説明する。
【００２１】
（１）  本発明に係る競売利益分配システム（０１０１）は、予め会員組織（０１０３）中における会員の配置に応じた利益分配を定める利益分配ルール情報と、前記会員組織中における配置を示す情報を含む会員の属性情報である会員属性情報とを保持している。
【００２２】
（２）  また、本発明に係る競売利益分配システム（０１０１）は、会員から集めた資金を元手に競売にかけられた物件（０１０２）が買い受けられ、当該物件を第三者（０１０４）に売却して利益が得られた場合に、当該利益を示す情報である利益情報を取得し、保持する。
【００２３】
（３）  さらに、本発明に係る競売利益分配システム（０１０１）は、上述の利益情報で示される利益を上述の利益分配ルール情報に基づいて会員に分配するための計算を行う。
【００２４】
<構成>
【００２５】
図２は、本実施形態の機能ブロックの一例を示す図である。
【００２６】
本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。
【００２７】
具体的には、メモリ上に展開されたプログラムを順次実行することで、メモリ上のデータや、インターフェイスを介して入力されるデータの加工、蓄積、出力などにより各部の機能が実現される。
【００２８】
本実施形態の「競売利益分配システム」（０２００）は、「利益分配ルール情報保持部」（０２０１）と、「会員属性情報保持部」（０２０２）と、「利益情報保持部」（０２０３）と、「利益分配計算部」（０２０４）とで構成される。
【００２９】
「利益分配ルール情報保持部」（０２０１）は、会員組織中における会員の配置に応じた利益分配を定める利益分配ルール情報を保持するように構成されている。
【００３０】
「会員の配置」とは、会員組織内において当該会員が占める位置を表わすものである。この会員の配置は、例えば、会員組織において上から何階層目に属するかを示す数字と、同一階層内における一連番号を示す数字を組み合わせた数字により表現される（具体例については後述する）。
【００３１】
「会員属性情報保持部」（０２０２）は、前記会員組織中における配置を示す情報を含む会員の属性情報である会員属性情報を保持するように構成されている。会員の属性情報には、前記の配置を示す情報のほか、例えば、会員の氏名、出資額、当該競売への参加の有無等の情報が含まれる。
【００３２】
「利益情報保持部」（０２０３）は、競売にて落札した物件の転売により得られた利益を示す情報である利益情報を保持するように構成されている。
【００３３】
「利益分配計算部」（０２０４）は、前記利益情報保持部で保持されている利益情報で示される利益を前記利益分配ルール情報保持部にて保持されている利益分配ルール情報に基づいて会員に分配するための計算を行うように構成されている。
【００３４】
図３は、本発明に係る競売利益分配システムの具体的構成の一例を示す図である。
【００３５】
本例においては、会員組織（０３０１）はＡ〜Ｍの１３人の会員で構成される。
【００３６】
会員Ａは第1階層に属する。また、第1階層には、Ａだけが属する。そこで、Ａの配置は、第1階層に属することを示す数字「１」と同階層内での一連番号を示す数字「１」を組み合わせた数字「１１」により表わされる。
【００３７】
一方、会員Ｂ、Ｃ、Ｄの３人は第２階層に属する。そこで、Ｂ、Ｃ、Ｄの同階層内での一連番号を順に「１」、「２」、「３」で表わし、第２階層に属することを示す数字「２」に上記の一連番号を示す数字を組み合わせることにより、Ｂ、Ｃ、Ｄの配置はそれぞれ「２１」、「２２」、「２３」で表わされる。
【００３８】
同様に、第３階層に属するＥ〜Ｍの配置は、それぞれ「３１」〜「３９」で表わされる。
【００３９】
以上の会員の配置を示す情報が、会員Ａ〜Ｍの氏名、各会員の出資額の比率（本例では全員均等割合とする）等の情報とともに、会員属性情報保持部（０３０２）に保持されている。
【００４０】
また、本例においては、会員の配置に応じた利益分配のルールとして、第１階層に属する会員は全員で利益の５２％に相当する額、第２階層に属する会員は全員で利益の３０％に相当する額、第３階層に属する会員は全員で利益の１８％に相当する額の分配を受け、さらに同一階層内に複数の会員がいる場合は上記の額を出資額に応じて按分することが定められている。そして、かかる利益分配ルール情報が利益分配ルール情報保持部（０３０３）に保持されている。
【００４１】
次に、競売により当該会員組織が物件を９００万円で落札し、これを１０００万円で転売して１００万円の利益を得た場合、当該１００万円の利益が利益情報として利益情報保持部（０３０４）において保持される。
【００４２】
さらに、利益分配計算部（０３０５）において、前記利益情報保持部（０３０４）で保持されている利益情報で示される利益を前記会員属性情報保持部（０３０２）にて保持されている。
ている会員属性情報及び前記利益分配ルール情報保持部（０３０３）にて保持されている利益分配ルール情報に基づいて会員に分配するための計算が行われる。本例では、Ａ５２万円、Ｂ〜Ｄ各１０万円、Ｅ〜Ｍ各２万円の分配額となる。
【００４３】
なお、以上の例においては、利益分配ルールが、会員の属する階層による分配比率の違いを予め加味することにより利益が１回の計算で最終的に分配されるように設定されている場合を念頭において説明したが、別の例として、利益分配ルールが、会員間で出資額に応じて按分する等により利益を一旦分配した後、さらに下位の階層に属する者の全部又は一部が上位の階層に属する者に一旦分配された額の中から一定割合又は一定額を支払うことにより再分配を行うように設定されているものであってもよい。
【００４４】
例えば、上述の例と同様の会員構成の組織において、競売により当該会員組織が落札した物件を転売して１３０万円の利益を得た場合、一旦各会員に均等に分配した後、第３階層に属する者全員（Ｅ〜Ｍ）が、それそれ一旦分配を受けた利益額の１０％に相当する額を第１階層に属するＡに支払い、第２階層に属する者全員（Ｂ、Ｃ及びＤ）がそれそれ一旦分配を受けた利益額の５％に相当する額を第１階層に属するＡに支払うことにより再分配を行うというものであってもよい。この場合、Ａの最終的な分配額は２０．５万円、Ｂ、Ｃ及びＤの最終的な分配額は各９．５万円、Ｅ〜Ｍの最終的な分配額は各９万円となる。
【００４５】
<処理の流れ>
【００４６】
図４は、本実施形態における処理の流れの一例を示したものである。本実施形態における処理の流れは、以下のステップからなる。
【００４７】
まず、利益分配ルール情報の取得ステップ（Ｓ０４０１）において、本実施形態の競売利益分配システムは、会員組織中における会員の配置に応じた利益分配を定める利益分配ルール情報を取得し、保持する。
【００４８】
次に、会員属性情報の取得ステップ（Ｓ０４０２）において、本実施形態の競売利益分配システムは、前記会員組織中における配置を示す情報を含む会員の属性情報である会員属性情報を取得し、保持する
【００４９】
次に、利益情報の取得ステップ（Ｓ０４０３）において、本実施形態の競売利益分配システムは、競売にて落札した物件の転売により得られた利益を示す情報である利益情報を取得し、保持する。
【００５０】
なお、上記の各ステップは、この順序で処理されなければならないということはなく、任意の順序で処理され得る。
【００５１】
次に、利益分配計算ステップ（Ｓ０４０４）において、本実施形態の競売利益分配システムは、前記利益情報の取得ステップ（Ｓ０４０３）において取得し、保持している利益情報で示される利益を前記利益分配ルール情報の取得ステップ（Ｓ０４０１）において取得し、保持している利益分配ルール情報及び前記会員属性情報の取得ステップ（Ｓ０４０２）において取得し、保持している会員属性情報に基づいて会員に分配するための計算を行う。
【００５２】
<効果>
【００５３】
本実施形態の競売利益分配システムにより、競売物件の買受けのための資金を会員から集め、これを元手として買い受けた物件の売却により得られた利益の全部又は一部を一定のルールにより会員に分配する仕組みを実効あるものとすることが可能となり、もって資金調達の容易化を図り、多額の資金を持たない者でもかかる仕組みに参加することにより利益の分配を受けられるようにすることができる。
【実施例２】
【００５４】
<概要>
【００５５】
本実施形態の競売利益分配システムは、実施例１を基本とし、競売への会員の参加又は不参加を示す情報である会員参加情報を保持する会員参加情報保持部を有し、前記利益分配計算部は、前記会員参加情報保持部にて保持されている会員参加情報に基づいて会員に分配する利益を計算する参加不参加計算手段を有する。
【００５６】
<構成>
【００５７】
図５は、本実施形態の機能ブロックの一例を示す図である。
【００５８】
本実施形態の「競売利益分配システム」（０５００）は、「利益分配ルール情報保持部」（０５０１）と、「会員属性情報保持部」（０５０２）と、「会員参加情報保持部」（０５０３）と、「利益情報保持部」（０５０４）と、「利益分配計算部」（０５０５）とで構成され、前記「利益分配計算部」（０５０５）は、「参加不参加計算手段」（０５０６）を有する。
【００５９】
即ち、本実施形態の「競売利益分配システム」（０５００）は、実施形態１を基本とし、さらに「会員参加情報保持部」（０５０３）を有し、前記「利益分配計算部」（０５０５）は、「参加不参加計算手段」（０５０６）を有する。
【００６０】
「会員参加情報保持部」（０５０３）は、競売への会員の参加又は不参加を示す情報である会員参加情報を保持するように構成されている。
【００６１】
「参加不参加計算手段」（０５０６）は、前記「会員参加情報保持部」（０５０３）にて保持されている会員参加情報に基づいて会員に分配する利益を計算するように構成されている。
【００６２】
会員参加情報に基づいて会員に分配する利益を計算する一例としては、参加しなかった会員を除外し、参加した会員のみで会員組織が構成されているとみなして上記利益分配ルールに基づいて分配利益を計算する場合が挙げられる。
【００６３】
実施例１で述べた具体例に即していうと、例えば、Ｄ、Ｋ、Ｌ及びＭの４人が不参加であり、残りの９人のみが参加した場合、第２階層に属する者はＢとＣの２人のみであるとみなされ、ＢとＣの分配額はそれぞれに１５万円となる。同様に、第３階層に属する者はＥ〜Ｊの６人のみであるとみなされ、各人の分配額はそれぞれ３万円となる。
【００６４】
会員参加情報に基づいて会員に分配する利益を計算する別の一例としては、参加しなかった会員と参加した会員との間で分配率に差を設ける場合が挙げられる。例えば、上記の例において参加しなかった者の分配率を参加した者の分配率の２分の１とした場合、第２階層のＢ、Ｃ、Ｄの分配額はそれぞれ１２万円、１２万円、６万円となり、同様に第３階層のＥ〜Ｍの分配額は、Ｅ〜Ｊがそれぞれ２．４万円、Ｋ〜Ｍが１．２万円となる。
【００６５】
<処理の流れ>
【００６６】
図６は、本実施形態における処理の流れの一例を示したものである。本実施形態における処理の流れは、以下のステップからなる。
【００６７】
まず、利益分配ルール情報の取得ステップ（Ｓ０６０１）において、本実施形態の競売利益分配システムは、会員組織中における会員の配置に応じた利益分配を定める利益分配ルール情報を取得し、保持する。
【００６８】
次に、会員属性情報の取得ステップ（Ｓ０６０２）において、本実施形態の競売利益分配システムは、前記会員組織中における配置を示す情報を含む会員の属性情報である会員属性情報を取得し、保持する。
【００６９】
次に、利益情報の取得ステップ（Ｓ０６０３）において、本実施形態の競売利益分配システムは、競売にて落札した物件の転売により得られた利益を示す情報である利益情報を取得し、保持する。
【００７０】
次に、会員参加情報の取得ステップ（Ｓ０６０４）において、本実施形態の競売利益分配システムは、競売への会員の参加又は不参加を示す情報を含む会員参加情報を取得し、保持する
【００７１】
なお、上記の各ステップは、この順序で処理されなければならないということはなく、任意の順序で処理され得る。
【００７２】
次に、利益分配計算ステップ（Ｓ０６０５）において、本実施形態の競売利益分配システムは、前記利益情報の取得ステップ（Ｓ０６０３）において取得し、保持している利益情報で示される利益を前記利益分配ルール情報の取得ステップ（Ｓ０６０１）において取得し、保持している利益分配ルール情報、前記会員属性情報の取得ステップ（Ｓ０６０２）において、取得し、保持している会員属性情報及び前記会員参加情報の取得ステップ（Ｓ０６０４）において取得し、保持している会員参加情報に基づいて会員に分配するための計算を行う。
【００７３】
<効果>
【００７４】
本実施形態においては、会員参加情報に基づいて会員に分配する利益を計算する参加不参加計算手段を用いることにより、各会員に対する利益の分配額を計算してこれを分配する仕組みを実効あるものとすることが可能となり、会員の参加意欲を高揚して資金調達を一層容易にすることができる。
【実施例３】
【００７５】
<概要>
【００７６】
本実施形態の会員競売端末装置は、会員が競売をするための競売端末装置であって、入札出資額を入力するための入札出資額入力部と、前記入札出資額入力部で入力された入札出資額を含む会員参加情報を請求項２に記載の競売利益分配システムに送信するための会員参加情報送信部とを有する。
【００７７】
<構成>
【００７８】
図７は、本実施形態の機能ブロックの一例を示す図である。
【００７９】
本実施形態の「会員競売端末装置」（０７００）は、会員が競売をするための競売端末装置であって、「入札出資額入力部」（０７０１）と、「会員参加情報送信部」（０７０２）とを有する。
【００８０】
「入札出資額入力部」（０７０１）は、入札出資額を入力するように構成されている。
【００８１】
「入札出資額」とは、会員が競売に際して自ら当該物件の買受けのために負担してよいと考える上限の額をいう。
【００８２】
「会員参加情報送信部」（０７０２）は、前記「入札出資額入力部」（０７０１）で入力された入札出資額を含む会員参加情報を請求項２に記載の競売利益分配システムに送信するように構成されている。
【００８３】
例えば、実施例１における具体例と同じ会員属性、利益分配ルールである場合において、
ある競売に際し、Ｄ、Ｋ、Ｌ及びＭの４人を除く残りの９人のみが参加し、かつ上記入札出資額が、Ａ２５０万円、Ｂ２００万円、Ｃ１００万円、Ｅ、Ｆ、Ｇ各１００万円、Ｈ、Ｉ、Ｊ各５０万円の場合、各人によりそれぞれの入札出資額がキーボード等を通じて端末に入力される。この場合、全員の入札出資額の合計額である１，０００万円が当該競売における本会員組織の入札額となる。
【００８４】
さらに、上記入札額にての買受けがなされ、転売により１００万円の利益が得られ、当該利益が会員に分配される場合、その分配額の計算は、利益分配ルールに参加情報及び入札出資額に応じた割合を加味して計算される。例えば、参加した会員にのみ分配を行い、かつ利益分配ルールにより計算された額の階層内での分配を上記の入札出資額の割合で按分して分配する場合には、分配額は、Ａ５２万円、Ｂ２０万円、Ｃ１０万円、Ｅ、Ｆ、Ｇ各４万円、Ｈ、Ｉ、Ｊ各２万円となる。
【００８５】
<処理の流れ>
【００８６】
図８は、本実施形態における処理の流れの一例を示したものである。本実施形態における処理の流れは、以下のステップからなる。
【００８７】
まず、入札出資額の入力ステップ（Ｓ０８０１）において、本実施形態の会員競売端末装置は、入札出資額を入力する。
【００８８】
次に、会員参加情報の送信ステップ（Ｓ０８０２）において、本実施形態の会員競売端末装置は、前記入札出資額の入力ステップ（Ｓ０８０１）において入力された入札出資額を含む会員参加情報を請求項２に記載の競売利益分配システムに送信する。
【００８９】
次に、利益分配ルール情報の取得ステップ（Ｓ０８０３）において、本実施形態の競売利益分配システムは、会員組織中における会員の配置に応じた利益分配を定める利益分配ルール情報を取得し、保持する。
【００９０】
次に、会員属性情報の取得ステップ（Ｓ０８０４）において、本実施形態の競売利益分配システムは、前記会員組織中における配置を示す情報を含む会員の属性情報である会員属性情報を取得し、保持する。
【００９１】
次に、利益情報の取得ステップ（Ｓ０８０５）において、本実施形態の競売利益分配システムは、競売にて落札した物件の転売により得られた利益を示す情報である利益情報を取得し、保持する。
【００９２】
なお、上記の各ステップは、入札出資額の入力ステップ（Ｓ０８０１）における処理が会員参加情報の送信ステップ（Ｓ０８０２）における処理に先行しなければならない点を除き、この順序で処理されなければならないということはなく、任意の順序で処理され得る。
【００９３】
次に、利益分配計算ステップ（Ｓ０８０６）において、本実施形態の競売利益分配システムは、前記利益情報の取得ステップ（Ｓ０８０５）において取得し、保持している利益情報で示される利益を前記利益分配ルール情報の取得ステップ（Ｓ０８０３）において取得し、保持している利益分配ルール情報、前記会員属性情報の取得ステップ（Ｓ０８０４）において取得し、保持している会員属性情報及び前記会員参加情報の取得ステップ（Ｓ０８０２）において取得し、保持している会員参加情報に基づいて会員に分配するための計算を行う。
【００９４】
<効果>
【００９５】
本実施形態においては、インターネット等を利用したオンライン競売等において、個々の会員が競売ごとに自らの判断により出資額を決定し、これを端末に入力することができるので、個々の会員の対応に応じた柔軟な分配基準により各会員に対する利益の分配額を計算してこれを分配することが可能となる。また、これにより会員の参加意欲を高揚し、資金調達を一層容易にすることが期待できる。
【実施例４】
【００９６】
<概要>
【００９７】
本実施形態の競売利益分配システムは、実施例２を基本とし、前記会員参加情報保持部から会員参加情報を取得する会員参加情報取得部と、前記会員参加情報取得部で取得した会員参加情報に基づいて前記会員属性情報保持部に保持された会員属性情報を変更する会員属性情報変更部とをさらに有する。
【００９８】
<構成>
【００９９】
図９は、本実施形態の機能ブロックの一例を示す図である。
【０１００】
本実施形態の「競売利益分配システム」（０９００）は、「利益分配ルール情報保持部」（０９０１）と、「会員属性情報保持部」（０９０２）と、「会員参加情報保持部」（０９０３）と、「会員参加情報取得部」（０９０４）と、「会員属性情報変更部」（０９０５）と、「利益情報保持部」（０９０６）と、「利益分配計算部」（０９０７）とで構成され、前記「利益分配計算部」（０９０７）は、「参加不参加計算手段」（０９０８）を有する。
【０１０１】
即ち、本実施形態の「競売利益分配システム」（０９００）は、実施例２を基本とし、「会員参加情報取得部」（０９０４）と、「会員属性情報変更部」（０９０５）とをさらに有する。
【０１０２】
「会員参加情報取得部」（０９０４）は、前記「会員参加情報保持部」（０９０３）から会員参加情報を取得するように構成されている。
【０１０３】
「会員属性情報変更部」（０９０５）は、前記「会員参加情報取得部」（０９０４）で取得した会員参加情報に基づいて前記「会員属性情報保持部」（０９０２）に保持された会員属性情報を変更するように構成されている。
【０１０４】
「変更」の具体例としては、以下のようなものが挙げられる。
【０１０５】
例えば、一定の条件を満たした場合に会員資格を剥奪する場合である。一定の条件とは、例えば、３回連続して競売に参加しなかった場合等が考えられる。
【０１０６】
別の例としては、一定の条件を満たした場合に会員資格を１階層下に降格させる場合が考えられる。かかる場合、他の会員の地位には何ら変更が生じないようにされていてもよいし、予め異なる階層の会員間の従属関係を定めておき、降格者に従属する者のうち例えば最小の一連番号の者を入れ替わりに昇格させるようにされていてもよい。例えば、Ｂの下にＥ、Ｆ、Ｇを従属させておき、Ｂの降格と入れ替わりにＥを昇格させるといったごとくである。
【０１０７】
<処理の流れ>
【０１０８】
図１０は、本実施形態における処理の流れの一例を示したものである。本実施形態における処理の流れは、以下のステップからなる。
【０１０９】
まず、利益分配ルール情報の取得ステップ（Ｓ１００１）において、本実施形態の競売利益分配システムは、会員組織中における会員の配置に応じた利益分配を定める利益分配ルール情報を取得し、保持する。
【０１１０】
次に、会員属性情報の取得ステップ（Ｓ１００２）において、本実施形態の競売利益分配システムは、前記会員組織中における配置を示す情報を含む会員の属性情報である会員属性情報を取得し、保持する。
【０１１１】
次に、利益情報の取得ステップ（Ｓ１００３）において、本実施形態の競売利益分配システムは、競売にて落札した物件の転売により得られた利益を示す情報である利益情報を取得し、保持する。
【０１１２】
次に、会員参加情報の取得ステップ（Ｓ１００４）において、本実施形態の競売利益分配システムは、競売への会員の参加又は不参加を示す情報を含む会員参加情報を取得し、保持する。
【０１１３】
なお、上記の各ステップは、この順序で処理されなければならないということはなく、任意の順序で処理され得る。
【０１１４】
次に、会員属性情報の変更ステップ（Ｓ１００５）において、本実施形態の競売利益分配システムは、前記会員参加情報の取得ステップ（Ｓ１００４）において取得した会員参加情報に基づいて会員属性情報の取得ステップ（Ｓ１００２）において取得し、保持している会員属性情報を変更する。
【０１１５】
次に、利益分配計算ステップ（Ｓ１００６）において、本実施形態の競売利益分配システムは、前記利益情報の取得ステップ（Ｓ１００３）において取得し、保持している利益情報で示される利益を前記利益分配ルール情報の取得ステップ（Ｓ１００１）において取得し、保持している利益分配ルール情報、前記会員属性情報の取得ステップ（Ｓ１００２）において取得し、保持し、会員属性情報の変更ステップ（Ｓ１００５）において変更された会員属性情報及び前記会員参加情報の取得ステップ（Ｓ１００４）において取得し、保持している会員参加情報に基づいて会員に分配するための計算を行う
【０１１６】
<効果>
【０１１７】
本実施形態においては、会員の会員組織内における配置や位置づけの変更に応じて分配基準を変更するとともに、変更された基準により各会員に対する利益の分配額を計算してこれを分配する仕組みを実効あるものとすることが可能となり、会員の参加意欲を高揚して資金調達を一層容易にすることができる。
【実施例５】
【０１１８】
<概要>
【０１１９】
本実施形態の競売利益分配システムは、実施例４を基本とし、前記会員属性情報には、会員である資格を識別するための会員資格識別情報とその資格保持者を識別する情報とが関連付けて含まれており、前記会員属性情報変更部は、前記会員資格識別情報と関連付けられている資格保持者を変更する資格保持者変更手段を有すると共に、資格保持者が自身が有する会員資格識別情報の入札による所定条件を含む譲渡の意思表示情報を入力する入力部と、前記入力部に入力された意思表示情報をインターネットを介して閲覧させる閲覧部と、前記会員資格識別情報に対するインターネットを介した入札を受けるための入札部と、前記入札部での入札結果に基づいて落札を判断する落札判断部とをさらに有し、前記資格保持者変更手段は、前記落札判断部での判断結果に基づいて前記変更を行う。
【０１２０】
<構成>
【０１２１】
図１１は、本実施形態の機能ブロックの一例を示す図である。
【０１２２】
本実施形態の「競売利益分配システム」（１１００）は、「利益分配ルール情報保持部」（１１０１）と、「会員属性情報保持部」（１１０２）と、「会員参加情報保持部」（１１０３）と、「会員参加情報取得部」（１１０４）と、「入力部」（１１０５）と、「閲覧部」（１１０６）と、「入札部」（１１０７）と、「落札判断部」（１１０８）と、「会員属性情報変更部」（１１０９）と、「利益情報保持部」（１１１０）と、「利益分配計算部」（１１１１）とで構成され、前記「会員属性情報変更部」（１１０９）は「資格保持者変更手段」（１１１２）を有し、前記「利益分配計算部」（１１１１）は「参加不参加計算手段」（１１１３）を有し、前記会員属性情報には、会員である資格を識別するための会員資格識別情報とその資格保持者を識別する情報とが関連付けて含まれている。
【０１２３】
即ち、本実施形態の「競売利益分配システム」（１１００）は、実施例４を基本とし、「入力部」（１１０５）と「閲覧部」（１１０６）と「入札部」（１１０７）と、「落札判断部」（１１０８）とをさらに有し、前記「会員属性情報変更部」（１１０９）は、「資格保持者変更手段」（１１１２）を有し、前記会員属性情報には、会員である資格を識別するための会員資格識別情報とその資格保持者を識別する情報とが関連付けて含まれている。
【０１２４】
「入力部」（１１０５）は、資格保持者が自身が有する会員資格識別情報の入札による所定条件を含む譲渡の意思表示情報を入力するように構成されている。
【０１２５】
「閲覧部」（１１０６）は、前記「入力部」（１１０５）に入力された意思表示情報をインターネットを介して閲覧させるように構成されている。
【０１２６】
「入札部」（１１０７）は、前記会員資格識別情報に対するインターネットを介した入札を受けるように構成されている。
【０１２７】
「落札判断部」（１１０９）は、前記会員資格識別情報に対するインターネットを介した入札を受けるように構成されている。
【０１２８】
「会員識別情報」とは、会員を識別するためのＩＤ番号により示される情報をいう。例えば、会員「山田太郎」のＩＤ番号が「０００１」である場合、山田太郎が本実施形態の競売利益分配システムを用いて自らのＩＤ番号を第三者の「鈴木一郎」に譲渡した場合、その後は鈴木一郎が当該会員の資格保持者となるので、会員属性情報変更部が、ＩＤ番号を鈴木一郎に付与することにより、資格保持者を山田太郎から鈴木一郎に変更する。
【０１２９】
<効果>
【０１３０】
本実施形態においては、インターネット等を利用して個々の会員の判断により会員資格の売買を行うことができるため、会員の柔軟な変更が可能となり、資金調達を一層容易にすることが期待できる。また、会員属性情報が会員参加情報に基づいて変更されるため、参加を積極的に行っている会員は、そのことが会員属性情報に反映されて、自己の会員資格の譲渡を有利な条件で行うことが可能となる。この結果、会員の参加意欲を高揚することができ、当該利益の分配額を計算してこれを分配する仕組みをより実効あるものとすることが可能となる。
【図面の簡単な説明】
【０１３１】
【図１】実施例１を説明するための概念図
【図２】実施例１を説明するための機能ブロック図
【図３】実施例１を説明するための機能ブロック図
【図４】実施例１の処理の流れを説明する図
【図５】実施例２を説明するための機能ブロック図
【図６】実施例２の処理の流れを説明する図
【図７】実施例３を説明するための機能ブロック図
【図８】実施例３の処理の流れを説明する図
【図９】実施例４を説明するための機能ブロック図
【図１０】実施例４の処理の流れを説明する図
【図１１】実施例５を説明するための機能ブロック図
【符号の説明】
【０１３２】
０１０１  競売利益分配システム  
０１０２  物件
０１０３  会員組織
０１０４  第三者
【図１】
2005122408.tif 000003
【図２】
2005122408.tif 000004
【図３】
2005122408.tif 000005
【図４】
2005122408.tif 000006
【図５】
2005122408.tif 000007
【図６】
2005122408.tif 000008
【図７】
2005122408.tif 000009
【図８】
2005122408.tif 000010
【図９】
2005122408.tif 000011
【図１０】
2005122408.tif 000012
【図１１】
2005122408.tif 000013